(57)【要約】【課題】伝言や覚え書きのためのメモ用紙の撤廃が可能な食品処理装置を提供することを課題とする。【解決手段】組合せ計量装置１の動作を総括的に制御するコントロールユニット２０のメモリ２２に、メモ情報を記憶するメモ情報記憶部２２ｂを設ける。また、コントロールユニット２０に、メモ情報を入力するためのメモ情報入力手段、前記メモ情報記憶部２２ｂに記憶されたメモ情報の呼び出しを指示するためのメモ情報呼出指示手段、及びメモ情報を表示するためのメモ情報表示手段として機能するタッチパネル３０を、信号を授受可能に接続する。そして、メモ情報表示制御手段として機能する制御部２１は、タッチパネル３０を介してメモ情報の呼び出しが指示されたとき、操作レベル、予約番号、識別子に応じてタッチパネル３０へのメモ情報の表示を制御する。【選択図】　　図１
2004004035.tif 000002
【特許請求の範囲】
【請求項１】
食品に関する所定の処理を行う食品処理装置であって、メモ情報を記憶するメモ情報記憶手段を有すると共に、前記処理を行うための操作部に、前記メモ情報を入力するメモ情報入力手段と、前記記憶手段に記憶されたメモ情報の呼び出しを指示するメモ情報呼出指示手段と、前記メモ情報を表示するメモ情報表示手段とが設けられ、且つ、前記呼出指示手段によってメモ情報の呼び出しが指示されたとき、前記メモ情報記憶手段から呼び出されたメモ情報の前記表示手段への表示を制御するメモ情報表示制御手段が備えられていることを特徴とする食品処理装置。
【請求項２】
前記メモ情報入力手段は、文字コード入力機能と手書き入力機能とを有していることを特徴とする請求項１に記載の食品処理装置。
【請求項３】
前記メモ情報記憶手段には、前記メモ情報と前記操作部における操作可能範囲を特定する操作レベルとが関連付けられて記憶されるようになっており、且つ、前記メモ情報表示制御手段は、前記メモ情報呼出指示手段によって前記メモ情報記憶手段に記憶されたメモ情報の呼び出しが指示されたとき、メモ情報に関連付けられて記憶された前記操作レベルに応じてメモ情報を前記メモ情報表示手段に表示するように制御することを特徴とする請求項１または請求項２に記載の食品処理装置。
【請求項４】
前記メモ情報記憶手段には、前記メモ情報と食品アイテムを特定する予約番号とが関連付けられて記憶されるようになっており、且つ、前記メモ情報表示制御手段は、前記メモ情報呼出指示手段によって前記メモ情報記憶手段に記憶されたメモ情報の呼び出しが指示されたとき、メモ情報に関連付けられて記憶された前記予約番号に応じてメモ情報を前記メモ情報表示手段に表示するように制御することを特徴とする請求項１から請求項３のいずれかに記載の食品処理装置。
【請求項５】
前記メモ情報記憶手段には、前記メモ情報と該メモ情報の閲覧者を特定する識別子とが関連付けられて記憶されるようになっており、且つ、前記メモ情報表示制御手段は、前記メモ情報呼出指示手段によって前記メモ情報記憶手段に記憶されたメモ情報の呼び出しが指示されたとき、メモ情報に関連付けられて記憶された前記識別子に応じてメモ情報を前記メモ情報表示手段に表示するように制御することを特徴とする請求項１から請求項４のいずれかに記載の食品処理装置。
【請求項６】
前記操作部に、エラー発生時に当該装置の運転可否を指示する運転可否指示手段が設けられ、且つ、前記メモ情報記憶手段は、前記メモ情報入力手段によって入力された当該エラーに関する情報と、前記運転可否指示手段による指示とを関連付けて記憶するように構成されていることを特徴とする請求項１から請求項５のいずれかに記載の食品処理装置。
【請求項７】
前記メモ情報記憶手段に当該装置の運転不可情報が記憶されているとき、次の始動操作時に当該装置の運転を規制する運転規制手段が備えられていることを特徴とする請求項６に記載の食品処理装置。
【発明の詳細な説明】
【０００１】
【発明の属する技術分野】
本発明は、食品の計量、包装、検査等の処理を行う処理装置に関し、特に食品処理装置の表示技術の分野に属する。
【０００２】
【従来の技術】
例えばスナック菓子やキャンディ等の食品の自動計量に用いられる組合せ計量装置は、一例として特許文献１に記載されているように、多数の計量ホッパが備えられ、該計量ホッパの上方に対応配置されたプールホッパを介してこれらの計量ホッパのそれぞれに食品を分散供給してその重量を計量すると共に該計量値に基づいて組合せ演算を行ない、その結果、組合せ重量が目標重量に一致または許容範囲内で最も近い重量となる組合せを選択し、この最適組合せに該当した計量ホッパのみから食品を排出させることにより、目標重量に一致または最も近い重量の食品を得るようにしたものである。
【０００３】
このような組合せ計量装置を用いた計量作業は、生産効率の面から交代勤務制のもとに、複数のオペレータの引き継ぎによって行われることがある。そして、オペレータが次のオペレータと対面して引き継ぎを行うことができない場合、次のオペレータに対する装置の状態や作業の進捗状況等の伝言があれば、その内容を記載したメモ用紙を、次のオペレータが運転にあたって見ることになる当該装置の操作ボックスに貼り付けておくことがある。また、次のオペレータへの伝言でなくとも、自身の覚え書きとしてメモ用紙を操作ボックスに貼り付けることがある。これらのことは、オペレータ間の引き継ぎが遺漏なく行われたり、あるいはオペレータ自身の失念対策となったりして、円滑な生産活動の継続に役立っている。
【０００４】
【特許文献１】
特開平１０−１２２９４３号公報（図１）
【０００５】
【発明が解決しようとする課題】
しかし、前述のようなやり方では、例えばメモ用紙を粘着テープ等によって操作ボックスに貼り付けると、粘着剤による操作ボックスの汚れを招くことがある。一方、適度の粘着性と剥離性とを兼ね備えた繰り返し貼付及び剥離が可能なメモ用紙も好まれて使用されているが、この場合には操作ボックスの汚れが比較的少ない代わりに、ややもすればメモ用紙が剥離して失われたり、さらにはメモ用紙が食品中に混入するおそれさえある。いずれにしても、操作ボックスに多数のメモ用紙が貼付されると美観上見苦しくなり、また、記載事項が次第に不鮮明になってメモ用紙としての機能を果たさなくなることがある。
【０００６】
そこで、本発明は、以上の現状に鑑み、伝言や覚え書きのためのメモ用紙の撤廃が可能な食品処理装置を提供することを課題とする。
【０００７】
【課題を解決するための手段】
前記課題を解決するため、本発明は次のように構成したことを特徴とする。
【０００８】
まず、請求項１に記載の発明は、食品に関する所定の処理を行う食品処理装置に関するもので、メモ情報を記憶するメモ情報記憶手段を有すると共に、前記処理を行うための操作部に、前記メモ情報を入力するメモ情報入力手段と、前記記憶手段に記憶されたメモ情報の呼び出しを指示するメモ情報呼出指示手段と、前記メモ情報を表示するメモ情報表示手段とが設けられ、且つ、前記呼出指示手段によってメモ情報の呼び出しが指示されたとき、前記メモ情報記憶手段から呼び出されたメモ情報の前記表示手段への表示を制御するメモ情報表示制御手段が備えられていることを特徴とする。
【０００９】
この発明によれば、従来の操作ボックス等への貼付式のメモ用紙が撤廃されるから、美観上見苦しくなることなくメモ情報の入力者と閲覧者との間の情報の伝達を行ったり入力者自身の失念を防止したりすることが可能になると共に、メモ用紙が失われて食品中に混入するおそれがない。この発明は、交代勤務制が導入されており、しかも対面して引き継ぎを行うことができない場合等に効果的である。
【００１０】
次に、請求項２に記載の発明は、前記請求項１に記載の食品処理装置において、前記メモ情報入力手段は、文字コード入力機能と手書き入力機能とを有していることを特徴とする。
【００１１】
この発明によれば、メモ情報の入力に際し、入力者は文字コード入力機能と手書き入力機能とを選択することができ、利便性が増す。特に手書き入力機能を用いると、例えば特定の言語しか認識することができない者の間での情報の伝達が容易に可能となる。さらにその場合、特定の言語の入力及び表示のための機能が不要であるから、コスト面で有利となる。
【００１２】
また、請求項３に記載の発明は、前記請求項１または請求項２に記載の食品処理装置において、前記メモ情報記憶手段には、前記メモ情報と前記操作部における操作可能範囲を特定する操作レベルとが関連付けられて記憶されるようになっており、且つ、前記メモ情報表示制御手段は、前記メモ情報呼出指示手段によって前記メモ情報記憶手段に記憶されたメモ情報の呼び出しが指示されたとき、メモ情報に関連付けられて記憶された前記操作レベルに応じてメモ情報を前記メモ情報表示手段に表示するように制御することを特徴とする。
【００１３】
この発明によれば、メモ情報呼出指示手段によってメモ情報の呼び出しが指示されたとき、メモ情報表示制御手段は操作レベルに応じて特化されたメモ情報をメモ情報表示手段に表示させるから、閲覧者がメモ情報を閲覧する場合に煩わしさがなくなる。なお、例えばオペレータが運転開始にあたり、予めそれぞれに付された作業パスワードを操作部を介して入力し、この作業パスワードに対応して操作レベルが設定されるようにしておけば、この操作レベルに特化して表示されたメモ情報を閲覧することができる。
【００１４】
また、請求項４に記載の発明は、前記請求項１から請求項３のいずれかに記載の食品処理装置において、前記メモ情報記憶手段には、前記メモ情報と食品アイテムを特定する予約番号とが関連付けられて記憶されるようになっており、且つ、前記メモ情報表示制御手段は、前記メモ情報呼出指示手段によって前記メモ情報記憶手段に記憶されたメモ情報の呼び出しが指示されたとき、メモ情報に関連付けられて記憶された前記予約番号に応じてメモ情報を前記メモ情報表示手段に表示するように制御することを特徴とする。
【００１５】
この発明によれば、同じくメモ情報呼出指示手段によってメモ情報の呼び出しが指示されたとき、メモ情報表示制御手段は予約番号に応じて特化されたメモ情報をメモ情報表示手段に表示させるから、閲覧者がメモ情報を閲覧する場合に煩わしさがなくなる。例えばオペレータが運転開始にあたり、予め予約番号を操作部を介して入力するようにしておけば、オペレータは、この予約番号に特化して表示されたメモ情報を閲覧することができる。
【００１６】
また、請求項５に記載の発明は、前記請求項１から請求項４のいずれかに記載の食品処理装置において、前記メモ情報記憶手段には、前記メモ情報と該メモ情報の閲覧者を特定する識別子とが関連付けられて記憶されるようになっており、且つ、前記メモ情報表示制御手段は、前記メモ情報呼出指示手段によって前記メモ情報記憶手段に記憶されたメモ情報の呼び出しが指示されたとき、メモ情報に関連付けられて記憶された前記識別子に応じてメモ情報を前記メモ情報表示手段に表示するように制御することを特徴とする。
【００１７】
この発明によれば、同じくメモ情報呼出指示手段によってメモ情報の呼び出しが指示されたとき、メモ情報表示制御手段は識別子に応じて特化されたメモ情報をメモ情報表示手段に表示させるから、閲覧者がメモ情報を閲覧する場合に煩わしさがなくなる。例えばオペレータが運転開始にあたり、予めそれぞれに付された識別子としての作業者コードを操作部を介して入力するようにしておけば、オペレータは、自己の識別子に特化して表示されたメモ情報を閲覧することができる。
【００１８】
また、メモ情報の入力者が閲覧者を指定するようにすれば、例えば、入力者が当該装置のエラー情報を入力したオペレータである一方、閲覧者が保守担当者である場合等には、極めて有効な伝言手段が提供される。
【００１９】
また、請求項６に記載の発明は、前記請求項１から請求項５のいずれかに記載の食品処理装置において、前記操作部に、エラー発生時に当該装置の運転可否を指示する運転可否指示手段が設けられ、且つ、前記メモ情報記憶手段は、前記メモ情報入力手段によって入力された当該エラーに関する情報と、前記運転可否指示手段による指示とを関連付けて記憶するように構成されていることを特徴とする。
【００２０】
この発明によれば、メモ情報の入力者が、おもに装置の目視情報を入力するようにすれば、メモ情報の閲覧者は、当該装置を目の前にしながらメモ情報を閲覧することができるから、メモ情報が装置のエラー情報に関するものだけに伝達効果は一段と増す。なお、エラー情報としては、時刻、エラー現象、エラー原因、エラー対処状況、エラー対処後の装置状態等が例示される。
【００２１】
また、エラー対処後、メモ情報の入力者が、今後当該装置を運転すべきではないと判断すると、運転可否指示手段によって運転不可を指示することができる。
【００２２】
そして、請求項７に記載の発明は、前記請求項６に記載の食品処理装置において、前記メモ情報記憶手段に当該装置の運転不可情報が記憶されているとき、次の始動操作時に当該装置の運転を規制する運転規制手段が備えられていることを特徴とする。
【００２３】
この発明によれば、運転可否指示手段によって運転不可が指示されている場合、運転規制手段は次の始動操作時に該装置の運転を規制するから、さらなる装置異常を招くことはない。その場合、次のオペレータは、メモ情報を閲覧することによって運転不可の理由を知ることができる。
【００２４】
【発明の実施の形態】
以下、本発明の実施の形態に係る組合せ計量装置について説明する。
【００２５】
［全体構成］
図１に示すように、この組合せ計量装置１は、フレームＦ上の複数の支持脚１１…１１で支持された箱状の本体ケース１２を有し、該本体ケース１２に、スナック菓子やキャンディ等の食品を分散させる分散テーブル１３、該分散テーブル１３の周囲に放射状に配置された複数の放射トラフ１４…１４、該放射トラフ１４…１４ごとに設けられた上下一対のプールホッパ１５…１５及び計量ホッパ１６…１６等が組み付けられている。
【００２６】
組合せ計量装置１に投入された食品は、まず、分散テーブル１３によって放射トラフ１４…１４に均等に分散された後、該放射トラフ１４…１４からプールホッパ１５…１５を経て計量ホッパ１６…１６に供給され、該計量ホッパ１６…１６に連結された重量検出器１６ａ…１６ａでそれぞれの重量が計量されて、組合せ演算が行なわれる。
【００２７】
そして、計量ホッパ１６…１６の下方にはそれぞれ個別シュート１７…１７が配置されており、組合せ演算の結果、最適組合せに該当した計量ホッパ１６…１６から食品が該個別シュート１７…１７に排出される。排出されて個別シュート１７…１７を滑落した食品は、この組合せ計量装置１の略中央に配置された漏斗形状の集合シュート１８を経て、さらに下流側の例えば包装機等へ供給されることになる。
【００２８】
［制御システム］
図１に示すように、この組合せ計量装置１の制御システムは、該装置１の動作を総括的に制御するコントロールユニット２０を備えている。そして、制御部２１とメモリ２２とを有するコントロールユニット２０には、前記装置１の運転に必要な操作を行うための操作部としてのタッチパネル３０が、信号を授受可能に接続されている。そして、コントロールユニット２０は、プールホッパ１５…１５や計量ホッパ１６…１６からの食品の排出を制御する制御信号を出力する。また、コントロールユニット２０は、各計量ホッパ１６…１６における重量検出器１６ａ…１６ａからの計量信号を入力し、この計量信号に基づいて組合せ演算を行い、目標重量に一致または許容範囲内で最も近い重量となる最適組合わせを選択する。
【００２９】
タッチパネル３０は、組合せ計量装置１に近接して備えられていると共に液晶画面のような表示画面を有しており、該装置１の運転に際し、表示画面の所定の表示箇所にタッチすることで各種の操作、入力、指示、及び表示を行なうことが可能に構成されている。そして、特に該装置１においては、このタッチパネル３０は、メモ情報の入力を行うためのメモ情報入力手段、メモリ２２に記憶されたメモ情報の呼び出しを指示するためのメモ情報呼出指示手段、当該装置１の運転可否を指示するための運転可否指示手段、及びメモリ２２から呼び出されたメモ情報を表示するためのメモ情報表示手段として機能する。また、タッチパネル３０は、メモ情報の入力に際して文字コード入力機能と手書き入力機能とを有している。
【００３０】
本発明の特徴部分であるメモリ２２は、登録情報記憶部２２ａとメモ情報記憶部２２ｂとを有している。登録情報記憶部２２ａには、食品アイテムを意味する予約番号ごとに設定登録された各種のデータ、タッチパネル３０を操作する者の作業者コードと氏名、及び作業パスワード等が記憶されている。一方、メモ情報記憶部２２ｂには、入力されたメモ情報や運転可否情報等が記憶されている。メモ情報には、組合せ計量装置１の状態や作業の進捗状況等、オペレータ間の伝言やオペレータ自身の失念防止のための事項が含まれるが、これらに限定されるものではない。
【００３１】
そして、同様に本発明の特徴部分である制御部２１は、タッチパネル３０を介してメモ情報記憶部２２ｂに記憶されたメモ情報の呼び出しが指示されたとき、メモ情報表示制御手段として機能し、操作レベル、予約番号、あるいは閲覧者の作業者コードつまり識別子に応じてメモ情報をタッチパネル３０に表示するように制御する。また、制御部２１は、メモ情報記憶部２２ｂに運転不可情報が記憶されているとき、運転規制手段として機能し、次の始動操作時に該装置１の運転を規制するように制御する。
【００３２】
なお、前記操作レベルは、タッチパネル３０におけるキー操作の操作可能範囲を特定するもので、タッチパネル３０を操作する者の概ね担当業務に応じて設定されるのが通例である。一例を示すと、操作レベルは、「作業レベル」、「管理レベル」、及び「設置調整レベル」に区分され、この場合、後者になるほど上位概念である。すなわち、「作業レベル」は、操作対象者がオペレータとされ、その操作内容は毎日作業する上での基本的な操作が該当し、例えば運転や零点調整等に係るキー操作が含まれる。「管理レベル」は、操作対象者がシステム管理者とされ、操作内容は前記作業レベルのものに加えて計量等の処理のための登録や調整操作が該当し、例えば予約番号や計量目標値等の設定登録に係るキー操作が含まれる。そして、「設置調整レベル」は、操作対象者が当該装置１の製造メーカの技術サービスマンとされ、操作内容は前記管理レベルのものに加えて装置設置時に必要な調整等の操作が該当し、例えば各種の運転パラメータの設定等に係るキー操作が含まれる。操作対象者は、予めそれぞれに付された作業パスワードをタッチパネル３０を介して入力することにより、それぞれの属する操作レベルに応じてキー操作の操作可能範囲が設定される。なお、各作業パスワードは、対応する操作レベルと共に登録情報記憶部２２ａに記憶されている。
【００３３】
また、前記予約番号は、予め登録されて登録情報記憶部２２ａに記憶されている食品アイテムのことで、この予約番号ごとに、例えば品名、製品重量、生産能力（例えば１分間あたりの計量回数）、分散テーブル１３及び放射トラフ１４…１４の動作条件、プールホッパ１５…１５及び計量ホッパ１６…１６の開閉タイミング条件、組合せ計量時の計量目標値、計量上限値、計量下限値等が登録されている。
【００３４】
そして、前記作業者コードは、この組合せ計量装置１の運転にあたり、タッチパネル３０を操作する者を識別するため、予め操作する者ごとに付されたコードであって、各作業者コードと対応する氏名とは登録情報記憶部２２ａに記憶されている。作業者コードとしては、例えば従業員番号が使用される。
【００３５】
［運用例］
次に、この組合せ計量装置１におけるメモ情報の運用例について説明する。
【００３６】
まず、この組合せ計量装置１のオペレータは、運転開始にあたって主電源スイッチ（図示せず）をＯＮ操作し、タッチパネル３０に表示された図２に示す初期画面３１の作業者コード入力欄３１ａと作業パスワード入力欄３１ｂとに、随時表示されるテンキーパッド３１ｃを使用して、オペレータに付された作業者コードと作業パスワードとをそれぞれ入力する。
【００３７】
そして、オペレータは、タッチパネル３０に新たに表示された図３に示すメニュー画面３２を介してキー操作することにより、該装置１を運転する。この場合、作業パスワードが入力されたことにより、入力したオペレータの操作レベルに応じてキー操作の操作可能範囲が設定される。
【００３８】
また、この組合せ計量装置１は、エラーつまり後述するような運転上の不具合が発生すると、警報音が鳴ると共に運転が停止されるように構成されている。このとき、該装置１のタッチパネル３０にエラーメッセージが自動表示される。エラーメッセージとしては、例えば、「零点異常」、「オーバースケール」、「計量ホッパエラー」、「送信不能」等のエラー名称の他に、エラー箇所、エラー現象、想定されるエラー原因、及び代表的なエラー処置等がある。
【００３９】
オペレータは、通常、前記表示に基づいてエラーに対処することが多い。その場合に、目視情報を中心に、対処の顛末を該装置１の保守担当者や作業を引き継ぐ次のオペレータ等への伝言あるいは自身の覚え書きとしてのメモ情報にしておくことは、以降の円滑な生産活動を継続する上で有益である。そこで、前記エラーに関するメモ情報をはじめ、この装置１の状態や作業の進捗状況等に関するメモ情報の入力、呼出指示、及び表示手順につき、さらに詳しく説明する。
【００４０】
＜メモ情報の入力＞
オペレータは、図３に示すメニュー画面３２のメモ情報入力キー３２ａにタッチし、図４に示すメモ情報入力画面３３を表示させる。この画面３３には、メモ情報を入力するためのメモ情報入力領域３３ａの他に、文字コード入力のためのキーボード（図例では５０音順のかな入力キーボード）３３ｂ、登録キー３３ｃ、消去キー３３ｄ、閉じるキー３３ｅ、運転禁止キー３３ｆ、メニュー画面３２へ戻るためのメニューキー３３ｇ、入力を図例のかな入力からアルファベット入力あるいは手書き入力に変更するためのアルファベット入力キー３３ｈや手書き入力キー３３ｉ等が表示されている。さらに、予約番号を入力する予約番号入力欄３３ｊと、メモ情報の閲覧者つまり相手先を指定する場合にこの相手先を入力する相手先入力欄３３ｋとが表示されている。そして、オペレータが相手先入力欄３３ｋにタッチすると、鎖線で示す氏名と作業者コードとからなる相手先リスト（詳細は図示せず）３３ｌが表示され、オペレータは、適宜相手先を選択することによりこれを相手先入力欄３３ｋに入力することができるようになっている。
【００４１】
オペレータは、メモ情報入力画面３３のキーボード３３ｂにタッチすることによって、エラー名称、エラー原因、エラー対処、対処後の状態、以降の運転の可否等の目視情報を中心としたエラー情報をはじめ、この組合せ計量装置１の状態や作業の進捗状況等をメモ情報としてメモ情報入力領域３３ａに入力する。
【００４２】
そして、特にメモ情報がエラー情報であって、対処の結果エラーを解消することができず、この組合せ計量装置１は運転禁止にすべきとオペレータが判断した場合、オペレータは運転禁止キー３３ｆにタッチする。運転禁止キー３３ｆがタッチされると、該キー３３ｆにチェックマークが表示されると共にこのタッチ信号を入力した制御部２１は運転禁止のフラグを１にセットし、該装置１の運転を規制する。なお、該装置１が正常復帰すると、運転禁止のフラグは１から０に変更してセットされ、前記規制は解除される。
【００４３】
図４に示す例では、「オーバースケールなるエラーが発生したので、原因はＷＨ（計量ホッパ）への供給過多と判断し、フィーダ強度を調整するという対処をしたにも拘わらず正常に復帰せず、不明のため運転禁止にすべきと判断した」という趣旨のメモ情報が入力されている。また、運転禁止キー３３ｆがタッチされ、該キー３３ｆにチェックマークが表示されている。
【００４４】
そして、メモ情報がいかなる予約番号に対応したものであるかを関連付けて記憶させる場合、オペレータは予約番号入力欄３３ｊに予約番号（図例では「２」）を入力する。また、メモ情報の閲覧者を指定する場合、オペレータは相手先入力欄３３ｋにタッチし、表示された相手先リスト３３ｌから該当する相手先（図例では「１２３４５６」）を選択することによりこれを相手先入力欄３３ｋに入力する。
【００４５】
オペレータは、前記キーボード３３ｂを用いてメモ情報を入力したが、このタッチパネル３０においては、アルファベット入力あるいは手書き入力も可能とされている。例えば手書き入力を行う場合、オペレータがメモ情報入力画面３３の手書き入力キー３３ｉにタッチすると、図５に示す手書き入力時のメモ情報入力画面３３′がタッチパネル３０に表示されるから、オペレータは、手書き入力ペンを用いてこの画面３３′のメモ情報入力領域３３ａ′にメモ情報を入力すればよい。なお、手書き入力されたメモ情報は、ＴＩＦやＪＰＥＧ等のイメージファイルとしてメモ情報記憶部２２ｂに記憶される。
【００４６】
こうすることにより、オペレータはメモ情報の入力時にキーボード３３ｂによる文字コード入力あるいは手書き入力を選択することができるから、利便性が増す。特に手書き入力機能を用いると、特定の言語しか認識することができない者の間での情報の伝達が容易に可能となる。その場合、特定の言語の入力及び表示のための機能等が不要であるから、コスト面で有利となる。また、メモ情報を図示することができるメリットがある。
【００４７】
そして、メモ情報の入力を終えると、オペレータは登録キー３３ｃ（図４参照）にタッチして、キーボード３３ｂを用いて入力したメモ情報をメモ情報記憶部２２ｂに記憶させる。このメモ情報は、テキストファイルとして記憶される。このとき、予約番号や相手先の作業者コードも記憶されると共に、メモ情報を入力した時刻、運転にあたり初期画面３１を介して入力していたオペレータの作業者コード及び作業パスワードが自動的に記憶される。
【００４８】
一方、メモ情報を入力したものの、該メモ情報をメモ情報記憶部２２ｂに記憶させない場合には、オペレータは、消去キー３３ｄにタッチしてこのメモ情報を消去する。また、オペレータが登録キー３３ｃにタッチしないまま閉じるキー３３ｅにタッチすると、このメモ情報入力画面３３が閉じる前に、入力したメモ情報を登録するか否かのメッセージが表示されるから、オペレータは、改めて登録の要否を確認することができる。
【００４９】
＜メモ情報記憶部の構成＞
メモ情報記憶部２２ｂの記憶内容をテーブル化して図６に示す。なお、登録されたメモ情報のうち不要となったものは適宜消去されて、現実のメモ情報記憶部２２ｂには、消去されないメモ情報のみが記憶された構成となっているのが通例であるが、ここでは多様なメモ情報の存在を示すため、登録されたメモ情報は消去されることなく全て記憶されているという形をとっている。
【００５０】
メモ情報は時系列的に追番であるメモ番号を付されており、入力時刻、入力者コードつまり入力者の作業者コード、作業パスワードに基づく操作レベル、予約番号、相手先コードつまり指定された閲覧者の作業者コード、及び運転禁止フラグ等と関連付けられている。一例として、メモ番号０００８のメモ情報は、「２」なる予約番号の生産作業に係った「Ｘ」なる操作レベルに属する「３４５６７８」なる作業者コードのオペレータが、「４５６７８９」なる作業者コードのオペレータを閲覧者に指定して「２００２年２月２６日５時５５分」に手書き入力したもので、「０２０２２６０５５５．ｊｐｇ」なるファイル名が付されたイメージファイルとして記憶されていることを示す。
【００５１】
＜メモ情報の呼出指示及び表示＞
作業を引き継いだ次のオペレータは、この組合せ計量装置１の主電源スイッチをＯＮ操作し、前述したと同様に、タッチパネル３０に表示された初期画面３１の作業者コード入力欄３１ａと作業パスワード入力欄３１ｂとに、オペレータに付された作業者コードと作業パスワードとをそれぞれ入力すると共に、タッチパネル３０にメニュー画面３２を表示させる。
【００５２】
（第１運用例）
制御部２１は、メモ情報の表示に際し、メモ情報記憶部２２ｂに記憶されている全てのメモ情報を呼び出して表示するように制御する。そして、該当するメモ情報があれば、制御部２１は、メニュー画面３２のメモ情報表示キー３２ｂ（図３参照）を点滅させる。これにより、オペレータは、閲覧可能なメモ情報があることを認識することができる。
【００５３】
そして、オペレータは、点滅するメモ情報表示キー３２ｂにタッチして図７に示すメモ情報表示画面３４の呼び出しを指示すると共に、メモ情報表示領域３４ａに表示されたメモ情報を閲覧する。さらに、メモ情報表示画面３４のメモ番号表示欄３４ｂ、入力時刻表示欄３４ｃ、入力者表示欄３４ｄ、相手先表示欄３４ｅ、及び予約番号表示欄３４ｆに、当該メモ情報に付されたメモ番号、入力時刻、入力者の作業者コードと氏名、相手先の作業者コードと氏名、及び予約番号が自動的に表示されるから、オペレータは、例えば、このメモ情報の入力者が誰であるか、あるいは、このメモ情報がいかなる予約番号に係るものであるか等を認識することができる。
【００５４】
また、複数の閲覧可能なメモ情報がある場合、オペレータは、メモ情報表示画面３４の図例上右下方の進むキー３４ｇや戻るキー３４ｈにタッチすることで、所望のメモ情報を表示させることができる。
【００５５】
そして、オペレータは、消去キー３４ｉにタッチすることにより、メモ情報表示画面３４に表示されたメモ情報をメモ情報記憶部２２ｂから消去することができる。また、所定の期間を経過したメモ情報が自動的に消去されるようにしてもよい。その結果、不要なメモ情報の表示による閲覧の煩わしさや不要なメモ情報によるメモ情報記憶部２２ｂの占有が回避される。
【００５６】
こうすることにより、従来の操作ボックス等への貼付式のメモ用紙が撤廃されるから、美観上見苦しくなることはない。その上で、このオペレータは、先のオペレータ等が入力したメモ情報を閲覧することができるから、円滑な引き継ぎ等が可能となる。しかも、タッチパネル３０が組合せ計量装置１に近接して備えられているため、オペレータは、該装置１を目の前にしながらメモ情報を閲覧することができるから、メモ情報が特に当該装置１の目視結果を中心としたエラー情報に関するものである場合、伝達効果は一段と増す。なお、閲覧者がメモ情報の入力者本人であってもよく、この場合には、入力者の失念防止を図ることができる。
【００５７】
一方、閲覧可能なメモ情報がなければ、メモ情報表示キー３２ｂは点滅しないから、オペレータは、閲覧可能なメモ情報がないのにわざわざメモ情報表示キー３２ｂにタッチして呼び出しを指示するという無駄を冒すことがない。
【００５８】
なお、タッチパネル３０に表示される前記各画面３１，３２，３３，３３′，３４の構成は一例であって、本発明はこれらの構成に限定されるものではない。
【００５９】
（第２運用例）
制御部２１は、メモ情報の表示に際し、メモ情報の閲覧者の操作レベルに応じてメモ情報を呼び出して表示するように制御することができる。この場合、作業パスワードの入力は必須である。
【００６０】
すなわち、運転開始にあたり、次のオペレータが初期画面３１を介して作業パスワードを入力すると、この入力信号を入力した制御部２１は、メモ情報記憶部２２ｂに記憶されているメモ情報の中から、オペレータが属する操作レベルに応じてメモ情報を呼び出す。そして、該当するメモ情報があれば、制御部２１は、メニュー画面３２のメモ情報表示キー３２ｂを点滅させる。これにより、オペレータは、閲覧可能なメモ情報があることを認識することができる。オペレータが、点滅するメモ情報表示キー３２ｂにタッチしてメモ情報表示画面３４の呼び出しを指示すると、制御部２１は、操作レベルに応じてメモ情報を表示するように制御し、オペレータは、メモ情報表示領域３４ａに表示されたメモ情報を閲覧する。
【００６１】
その場合、このオペレータをはじめとする閲覧者は、自身が属する操作レベル及びこれより下位概念の操作レベルに応じたメモ情報を閲覧することができる。例えば図６に基づけば、操作レベルＸ（この場合、作業レベル）に属する閲覧者はメモ番号０００３〜０００８及び００１０のメモ情報、操作レベルＹ（同じく、管理レベル）に属する閲覧者はメモ番号が０００３〜０００８及び００１０のメモ情報に加えてメモ番号０００９のメモ情報、そして操作レベルＺ（同じく、設置調整レベル）に属する閲覧者は全てのメモ情報の閲覧が可能である。したがって、閲覧者は、その属する操作レベルに特化して表示されたメモ情報を閲覧するから、閲覧時の煩わしさがなくなる。
【００６２】
一方、該当するメモ情報がなければ、メモ情報表示キー３２ｂは点滅しないから、オペレータは、閲覧可能なメモ情報がないのにわざわざメモ情報表示キー３２ｂにタッチして呼び出しを指示するという無駄を冒すことがない。
【００６３】
（第３運用例）
制御部２１は、メモ情報の表示に際し、予約番号に応じてメモ情報を呼び出して表示するように制御することができる。この場合、予約番号の入力は必須である。
【００６４】
すなわち、運転開始にあたり、次のオペレータはメニュー画面３２を介して通常のキー操作の一環として所定の予約番号を入力すると、この入力信号を入力した制御部２１は、メモ情報記憶部２２ｂに記憶されているメモ情報の中から、前記予約番号に応じてメモ情報を呼び出す。そして、該当するメモ情報があれば、制御部２１は、メニュー画面３２のメモ情報表示キー３２ｂを点滅させる。これにより、オペレータは、閲覧可能なメモ情報があることを認識することができる。オペレータが、点滅するメモ情報表示キー３２ｂにタッチしてメモ情報表示画面３４の呼び出しを指示すると、制御部２１は、予約番号に応じてメモ情報を表示するように制御し、オペレータは、メモ情報表示領域３４ａに表示されたメモ情報を閲覧する。
【００６５】
その場合、オペレータは、これから係る予約番号に特化して表示されたメモ情報を閲覧するから、生産作業を円滑に行うために有効な情報を効果的に得ることができる。
【００６６】
一方、該当するメモ情報がなければ、メモ情報表示キー３２ｂは点滅しないから、オペレータは、閲覧可能なメモ情報がないのにわざわざメモ情報表示キー３２ｂにタッチするという無駄を冒すことがない。
【００６７】
（第４運用例）
制御部２１は、メモ情報の表示に際し、作業者コードに応じてメモ情報を呼び出して表示するように制御することができる。この場合、作業者コードの入力は必須である。
【００６８】
すなわち、運転開始にあたり、次のオペレータが初期画面３１を介して作業者コードを入力すると、この入力信号を入力した制御部２１は、メモ情報記憶部２２ｂに記憶されているメモ情報の中から、前記作業者コードに応じてメモ情報を呼び出す。そして、該当するメモ情報があれば、制御部２１は、メニュー画面３２のメモ情報表示キー３２ｂを点滅させる。これにより、オペレータは、閲覧可能なメモ情報があることを認識することができる。オペレータが、点滅するメモ情報表示キー３２ｂにタッチしてメモ情報表示画面３４の呼び出しを指示すると、制御部２１は、作業者コードに応じてメモ情報を表示するように制御し、オペレータは、メモ情報表示領域３４ａに表示されたメモ情報を閲覧する。
【００６９】
その場合、オペレータは、自身の作業者コードに特化して呼び出されたメモ情報を閲覧するから、閲覧時の煩わしさがなくなる。また、メモ情報の入力者が該メモ情報の閲覧者を指定することができるから、例えば、入力者が当該装置１のエラー情報を入力したオペレータである一方、閲覧者が保守担当者である場合等には、極めて有効な伝言手段が提供される。また、メモ情報の入力者が閲覧者に自身を指定すれば、このメモ情報は失念対策のための覚え書きとして有効に機能することになる。
【００７０】
一方、該当するメモ情報がなければ、メモ情報表示キー３２ｂは点滅しないから、オペレータは、閲覧可能なメモ情報がないのにわざわざメモ情報表示キー３２ｂにタッチして呼び出しを指示するという無駄を冒すことがない。
【００７１】
（第５運用例）
制御部２１は、メモ情報の表示に際し、運転禁止のフラグが１にセットされたメモ情報が記憶されている場合、このメモ情報は極めて重要な情報であることから、該メモ情報を前記第２〜第４運用例で説明したような操作レベル、予約番号、及び作業者コードに基づく制御から独立したものとし、最優先で呼び出すと共に表示すべきメモ情報とすることができる。この場合、メモ情報入力画面３３における運転禁止キー３３ｆへのタッチは必須である。
【００７２】
すなわち、メモ情報の表示に際し、制御部２１は、メモ情報記憶部２２ｂに記憶されているメモ情報の中から、運転禁止のフラグが１である最新のメモ情報を含め、前記第２〜第４運用例のように要求される所定のメモ情報を呼び出す。そして、該当するメモ情報があれば、メニュー画面３２のメモ情報表示キー３２ｂを点滅させる。
【００７３】
次いで、オペレータがメモ情報表示キー３２ｂにタッチしたとき、前記運転禁止のフラグが１であるメモ情報を最優先で表示させるようにすれば、オペレータは、エラー情報の内容と共に運転禁止を明確に認識することができる。しかも、先に運転禁止キー３３ｆがタッチされたことによって、この組合せ計量装置１は運転モードに入らないように制御されるから、さらなる装置異常が確実に回避される。
【００７４】
［他の実施の形態］
前記実施の形態では、手書き入力したメモ情報はイメージファイルとしてメモ情報記憶部２２ｂに記憶されたが、このイメージファイルが手書きされた文字からなる場合、該イメージファイルをＯＣＲ（光学式文字読み取り装置）を介してテキストファイルに変換した上で記憶させてもよい。こうすることにより、記憶されたメモ情報の活用の自由度が拡大する。
【００７５】
また、前記実施の形態におけるコントロールユニット２０に、メモ情報の入力手段としてスキャナを接続してもよい。こうすることにより、例えば印刷図面にエラー発生箇所を書き加え、該図面をスキャナを介してイメージファイルとして入力すると、一段と正確なメモ情報が提供されることがある。
【００７６】
また、前記実施の形態におけるコントロールユニット２０に、マイクロフォンやスピーカ等を備えた音声入出力装置を接続し、該音声入出力装置を介してメモ情報を入出力するようにしてもよい。こうすることにより、利便性が増すことがある。
【００７７】
また、前記実施の形態では、操作部としてタッチパネル３０を使用したが、操作部に、操作、入力、及び指示手段としての通常のキーボードと表示手段としての通常のディスプレイとを備えてもよい。こうすることによっても、前記実施の形態におけると同様の作用効果が得られる。
【００７８】
また、前記実施の形態では、メモ情報の入力に際し、予約番号入力欄３３ｊを設け、この入力欄３３ｊに該当する予約番号を入力するようにしたが、オペレータが生産作業のためにこれまで呼び出していた予約番号を自動的に記憶させるようにしてもよい。こうすることにより、入力の手間を省略することができる。
【００７９】
また、前記実施の形態では、オペレータが閲覧可能なメモ情報がある場合、メニュー画面３２のメモ情報表示キー３２ｂが点滅したが、閲覧可能なメモ情報がある場合に限ってメモ情報表示キー３２ｂが画面表示されるようにしてもよい。こうすることによっても、オペレータは、閲覧可能なメモ情報があることを認識することができる。
【００８０】
また、前記実施の形態において、メモ情報が特に運転禁止の判断を含むエラー情報の場合、運転禁止キー３３ｆや登録キー３３ｃのタッチ信号ないしメモ情報が、さらにこの組合せ計量装置１の固有機械コードを付された上で、イーサーネット等のＬＡＮを介して事業所の設備保全部門のコンピュータへ転送されるようにしたり、あるいは、該装置１の製造番号を付された上で、製造メーカへメール送信されるようにするという展開も可能である。こうすることにより、情報あるいは問題意識のタイムリーな共有化を図ることができ、不具合の再発防止につながる。
【００８１】
また、前記実施の形態では、制御部２１は、メモ情報の表示に際して第１〜第５運用例に示すような制御を行ったが、これらに限定されることはなく、各運用例を適宜組合せた制御も可能である。
【００８２】
そして、前記実施の形態では、本発明が適用された組合せ計量装置１について説明したが、本発明はその他、自動計量装置、製袋包装機、箱詰め装置、重量チェッカ、シールチェッカ、Ｘ線検査装置等の多様な食品処理装置へ適用可能である。
【００８３】
【発明の効果】
以上説明したように、本発明によれば、伝言や覚え書きのためのメモ情報を記憶するメモ情報記憶手段と、メモ情報の入力手段・呼出指示手段・表示手段として機能する操作部と、前記記憶手段から呼び出されたメモ情報の操作部への表示を制御するメモ情報表示制御手段とを備えたことにより、従来のような貼付式のメモ用紙の撤廃が可能な食品処理装置が提供される。本発明は、多様な食品処理装置の技術分野に広く好適である。
【図面の簡単な説明】
【図１】本発明の実施の形態に係る組合せ計量装置の全体構成を示す概略側面図である。
【図２】初期画面を示す図である。
【図３】メニュー画面を示す図である。
【図４】文字コード入力時のメモ情報入力画面を示す図である。
【図５】手書き入力時のメモ情報入力画面を示す図である。
【図６】メモ情報記憶部の記憶内容をテーブル化したものである。
【図７】メモ情報表示画面を示す図である。
【符号の説明】
１　　組合せ計量装置（食品処理装置）
２１　　　制御部（メモ情報表示制御手段、運転規制手段）
２２ｂ　　メモ情報記憶部（メモ情報記憶手段）
３０　　　タッチパネル（操作部）
３２ｂ　　メモ情報表示キー（メモ情報呼出指示手段）
３３ｂ　　キーボード（メモ情報入力手段）
３３ｆ　　運転禁止キー（運転可否指示手段）
３４ａ　　メモ情報表示領域（メモ情報表示手段）
【図１】
2004004035.tif 000003
【図２】
2004004035.tif 000004
【図３】
2004004035.tif 000005
【図４】
2004004035.tif 000006
【図５】
2004004035.tif 000007
【図６】
2004004035.tif 000008
【図７】
2004004035.tif 000009